(57)【要約】      （修正有）【課題】玩具に組み立て可能な靴下用包装台紙を提供する。【解決手段】靴下用包装台紙において、靴下を包装する台紙１の表面側１ａまたは裏面側１ｂ、或いは表・裏両面側１ａ，１ｂを、動物の外形に形成し、これら表・裏両面側１ａ，１ｂを連結し、束ねた靴下の厚み寸法を有する挟持片２を設け、台紙１の表面側１ａ、裏面側１ｂのそれぞれ下部両側にスリット３をそれぞれ設け、台紙１の表面側１ａまたは裏面側１ｂ、或いは表・裏両面側１ａ，１ｂに飾り穴５を設け、スリット２に嵌挿する間隔保持部材４を２枚設け、台紙１と、２枚の間隔保持部材４とで組み立てる。【選択図】図４
0003217247.tif 000002
【実用新案登録請求の範囲】
【請求項１】
靴下用包装台紙において、
靴下（Ｘ）を包装する台紙（１）の表面側（１ａ）または裏面側（１ｂ）、或いは表・裏両面側（１ａ，１ｂ）を、動物の外形に形成し、
これら表・裏両面側（１ａ，１ｂ）を連結し、束ねた靴下（Ｘ）の厚み寸法を有する挟持片（２）を設け、
前記台紙（１）の表面側（１）、裏面側のそれぞれ下部両側にスリット（３）をそれぞれ設け、
前記台紙（１）の表面側（１ａ）または裏面側（１ｂ）、或いは表・裏両面側（１ａ，１ｂ）に飾り穴（５）を設け、
前記スリット（２）に嵌挿する間隔保持部材（４）を２枚設け、
上記台紙（１）と、２枚の間隔保持部材（４）（４）とで組み立てる
ことを特徴とする玩具に組み立て可能な靴下用包装台紙。
【請求項２】
靴下用包装台紙において、
靴下（Ｘ）を包装する台紙（１´）の表面側（１´ａ）または裏面側（１´ｂ）、或いは表・裏両面側（１´ａ，１´ｂ）を、車両の外形に形成し、
これら表・裏両面側（１ａ，１ｂ）を連結し、束ねた靴下（Ｘ）の厚み寸法を有する挟持片（２´）を設け、
これら、台紙の表面側（１´）、裏面側のそれぞれ下部両側にスリット（３´）をそれぞれ設け、
該スリットに嵌挿する間隔保持部材（４´）を２枚設け、
上記台紙（１）と、２枚の間隔保持部材（４´）（４´）とで組み立てる
ことを特徴とする玩具に組み立て可能な靴下用包装台紙。
【請求項３】
前記台紙（１）（１´）、及び２枚の連結保持部材（３）を、それぞれ靴下（Ｘ）に固定具（Ｙ）で固定する
ことを特徴とする請求項１または２記載の玩具に組み立て可能な靴下用包装台紙。
【考案の詳細な説明】
【技術分野】
【０００１】
この考案は、玩具に組み立て可能な靴下用包装台紙に関するものである。
【背景技術】
【０００２】
従来、靴下用包装台紙は、靴下等の衣料品を陳列、展示するため、１足の靴下あるいは、複数足の靴下を束ねて、靴下のつま先側やくちゴム側に断面がコ字状の台紙を用いて包装している。そして、台紙の表面側、あるいは両面側に商標や商品説明（サイズ等）等を記載している。
【０００３】
そして、表・裏面の台紙間に、１足あるいは、複数足の靴下を挟み、台紙と挟んだ靴下を逢着し、台紙のコ字状の中間部に合成樹脂製でヒートン状のフックを設け、吊り下げるよう構成されている。例えば、特許文献１、特許文献２のように。
【先行技術文献】
【特許文献】
【０００４】
【特許文献１】意匠登録第１１３６７２２号公報
【特許文献２】意匠登録第１４３５６９２号公報
【０００５】
しかし、このような靴下用包装台紙は、包装に使用する以外、他の使用方法はなく、ゴミ箱にそのまま棄てられるものにすぎなかった。
【考案の概要】
【考案が解決しようとする課題】
【０００６】
そこでこの考案は、従来の靴下用包装台紙に改良を加えて、玩具に組み立て可能な靴下用包装台紙を開発・提供する事にある。
【課題を解決するための手段】
【０００７】
この玩具に組み立て可能な靴下用包装台紙は、靴下用包装台紙において、靴下を包装する台紙の表面側または裏面側、或いは表・裏両面側を、動物の外形に形成し、これら表・裏両面側を連結し、束ねた靴下の厚み寸法を有する挟持片を設け、前記台紙の表面側、裏面側のそれぞれ下部両側にスリットをそれぞれ設け、前記台紙の表面側または裏面側、或いは表・裏両面側に飾り穴を設け、前記スリットに嵌挿する間隔保持部材を２枚設け、上記台紙と、２枚の間隔保持部材とで組み立てることを特徴とする。
【０００８】
また、靴下用包装台紙において、靴下を包装する台紙の表面側または裏面側、或いは表・裏両面側を、車両の外形に形成し、これら表・裏両面側を連結し、束ねた靴下の厚み寸法を有する挟持片を設け、これら、台紙の表面側、裏面側のそれぞれ下部両側にスリットをそれぞれ設け、該スリットに嵌挿する間隔保持部材を２枚設け、上記台紙と、２枚の間隔保持部材とで組み立てることを特徴とする。
【０００９】
さらには、前記台紙、及び２枚の連結保持部材を、それぞれ靴下に固定具で固定することを特徴とする。
【考案の効果】
【００１０】
この考案によると、既存の靴下用包装台紙の表面側、裏面側、あるいは両面側に、動物や、車両の全体あるいは部分形状を形成し、動物の足や、車両の車輪を描出し商品の説明を記載した２枚の間隔保持部材を台紙側の４つのスリットに差し込むことにより台紙が安定し、立体的な玩具が簡単に組み上がりあがり幼児が喜び、子供らも簡単に組み立てることが可能である等の効果を奏する。
【００１１】
また、靴下用台紙のほか、２枚の間隔保持部材を設けたことにより、靴下の製品説明を記載する箇所が増えて極めて便利である等の効果を奏する。
【００１２】
さらに、従来は新しい靴下を履く際に、直ぐに廃棄していた靴下用包装台紙を再利用することができ経済的である等の効果を奏する。
【図面の簡単な説明】
【００１３】
【図１】この考案の一実施例を示す台紙の展開図である。
【図２】この考案に使用する間隔保持部材の一実施例を示し、（Ａ）は背面図であり、（Ｂ）は正面図である。
【図３】この考案の商品としての使用状態を示す説明図である。
【図４】この考案の組み立て状態を示す斜視図である。
【図５】この考案の他の実施例を示す台紙の展開図である。
【図６】この考案の他の実施例に使用する間隔保持部材の平面図である。
【図７】この考案の他の実施例の商品としての使用状態を示す説明図である。
【図８】この考案の他の実施例の組み立て状態を示す斜視図である。
【図９】この考案の組み立てを説明する説明図である。
【考案を実施するための形態】
【００１４】
以下、この考案について詳細に説明する。尚、この発明においては、以下の記述に限定されるものではなく、この発明の要旨を逸脱しない範囲においては適宜変更可能である。
【実施例】
【００１５】
先ず、この考案の一実施例を図面に基づいて詳述すると靴下用包装台紙において、靴下（Ｘ）を包装する台紙（１）の表面側（１ａ）または裏面側（１ｂ）、或いは表・裏両面側（１ａ，１ｂ）を、動物の外形に形成し、これら表・裏両面側（１ａ，１ｂ）を連結し、束ねた靴下（Ｘ）の厚み寸法を有する挟持片（２）を設け、前記台紙（１）の表面側（１）、裏面側のそれぞれ下部両側にスリット（３）をそれぞれ設け、前記台紙（１）の表面側（１ａ）または裏面側（１ｂ）、或いは表・裏両面側（１ａ，１ｂ）に飾り穴（５）を設け、前記スリット（２）に差し込む間隔保持部材（４）を２枚設け、上記台紙（１）と、２枚の間隔保持部材（４）（４）とで組み立てることを特徴とする玩具に組み立て可能な靴下用包装台紙から構成されるものである。
【００１６】
また、前記厚み寸法を有する挟持片（２）は、一対の靴下（Ｘ）を、複数組束ねることにより幅寸法はそれぞれ異なるものである。
【００１７】
さらに、前記台紙（１）や２枚の間隔保持部材（３）は、タグピン等の固定具（Ｙ）で、靴下（Ｘ）に固定するものである。
【００１８】
次に、この考案の他の実施例を図面に基づいて詳述すると靴下用包装台紙において、靴下（Ｘ）を包装する台紙（１´）の表面側（１´ａ）または裏面側（１´ｂ）、或いは表・裏両面側（１´ａ，１´ｂ）を、車両の外形に形成し、これら表・裏両面側（１ａ，１ｂ）を連結し、束ねた靴下（Ｘ）の厚み寸法を有する挟持片（２´）を設け、これら、台紙の表面側（１´）、裏面側のそれぞれ下部両側にスリット（３´）をそれぞれ設け、該スリットに嵌挿する間隔保持部材（４´）を２枚設け、上記台紙（１）と、２枚の間隔保持部材（４´）（４´）とで組み立てることを特徴とする玩具に組み立て可能な靴下用包装台紙から構成されるものである。
【００１９】
そして、前記挟持片（２，２´）は、一対の靴下（Ｘ）を、複数組束ねることにより幅寸法は異なるものであり、車両用のものには複数足束ねる挟持片（２，２´）のほうが安定感があり優れている。
【００２０】
さらに、前記連結保持部材（４，４´）は、両端をスリット（３，３´）に差し込むことにより、台紙（１，１´）が倒れないよう構成している。また、前記連結保持部材（４，４´）を靴下（Ｘ）に固定することで、商品の特徴を多く記載できるよう構成したものである。
【００２１】
また、飾り穴（５）は、猫の図形の台紙に対しては魚の形状をかたどった穴に形成してユーモラスに形成している。
【００２２】
台紙（１，１´）の図形は、動物や車両だけではなく、森羅万象すべてをいう。
【産業上の利用可能性】
【００２３】
この考案の玩具に組み立て可能な靴下用包装台紙の技術を確立し、実施することにより産業上の利用可能性を有する。
【符号の説明】
【００２４】
１，１´  包装用台紙
１ａ，１´ａ  表面側
１ｂ，１´ｂ  裏面側
２，２´  挟持片
３，３´  スリット
４，４´  間隔保持部材
５  飾り穴
Ｘ  靴下
Ｙ  固定具
【図１】
0003217247.tif 000003
【図２】
0003217247.tif 000004
【図３】
0003217247.tif 000005
【図４】
0003217247.tif 000006
【図５】
0003217247.tif 000007
【図６】
0003217247.tif 000008
【図７】
0003217247.tif 000009
【図８】
0003217247.tif 000010
【図９】
0003217247.tif 000011